(57)【要約】      （修正有）【課題】着座位置のボールを安定的に保持しつつ、簡潔な構造で配管に水密的に連結できるボール型逆止弁を提供する。【解決手段】環状部材から成るカラー１３の内周側に着座位置のボール１２が配設されるように、ケーシング１１内の通路においてシール部材１４の流出口側にカラー１３が配設される。ボール１２をボール退避部２７の内部に案内する一対の案内突条３４ａの流入口側の端３５ａは、ケーシングの流入口側端からの距離がケーシング内の凸部３６の流入口側の端までと同じ距離位置にある。ユニバーサルナット１６から成る螺合部材がケーシングに螺合して、シール部材１４及びカラー１３を案内突条３４ａ及び凸部３６の端に押し付けるとともに、管継手１５のフランジ部５２を介してシール部材の外周縁部４８をケーシングの端に押し付ける。【選択図】図５
0003200194.tif 000002
【実用新案登録請求の範囲】
【請求項１】
流体が通過可能な通路及び該通路から分岐して設けられたボール退避部が内部に形成されたケーシングと、
前記通路の流入口側部分と前記ボール退避部の内部との間に形成された案内突条と、
前記通路の流入口側の端から前記案内突条の流入口側の端と同じ距離位置に流入口側の端が位置するように前記通路に形成された凸部と、
筒状の管部及びその一端側に形成されたフランジ部を有する管継手と、
前記案内突条の流入口側端と前記凸部の流入口側端とに当接して前記通路の流出口側の方への移動を阻止される環状部材と、
前記案内突条により案内される一方、着座位置では前記環状部材の内周側に位置するボールと、
前記通路の前記流入口側部分において前記管継手の前記フランジ部と前記環状部材との間に配設され、前記環状部材の内周側に張り出して前記ボールが着座する内周縁部と、前記環状部材の外周側に張り出す外周縁部とを有するシール部材と、
前記管継手の前記管部が貫通する貫通孔を有し、前記ケーシングの流入口側端部の外周部に螺合して、前記シール部材を介して前記環状部材を前記案内突条の流入口側の端と前記凸部の流入口側の端に押し付けるとともに、前記管継手の前記フランジ部を介して前記シール部材の前記外周縁部を前記ケーシングの前記流入口側端部の端に押し付ける螺合部材と
を備えることを特徴とするボール型逆止弁。
【請求項２】
請求項１記載のボール型逆止弁において、
前記案内突条は、前記ボールを水平方向両側から挟んで案内するように、１対、設けられ、
前記凸部は１つだけ設けられ、
１つの前記凸部の前記流入口側端と１対の前記案内突条の前記流入口側端とは、前記通路の中心線の回りに１２０°の等角度間隔で配置されていることを特徴とするボール型逆止弁。
【請求項３】
請求項２記載のボール型逆止弁において、
１つの前記凸部と１対の前記案内突条とは、着座位置の前記ボールに対して、前記通路の径方向に等しい長さ、離れて、形成され、
１対の前記案内突条は、前記ボールの中心に対して１２０°より大きく１８０°より小さい中心角で前記ボールを両側から挟んで案内するように、前記ケーシングの内面からの突出量が設定されていることを特徴とするボール型逆止弁。
【考案の詳細な説明】
【技術分野】
【０００１】
本考案は、ボール型逆止弁に関する。
【背景技術】
【０００２】
従来、弁座から離反したときのボールが順方向の流体の流れを妨害しない退避位置に案内されるボール型逆止弁が知られている（特許文献１）。このボール型逆止弁では、ボールは、弁座から離れると、弁箱の内部に設けた流路から分岐したボール室内に１対のレール状突条部に沿って案内される。
【０００３】
特許文献１のボール型逆止弁では、ボールの弁座と弁箱の流入口のシールパッキンとを兼ねるシール部材が、弁箱の流入口に形成された環状溝に嵌着されている。これにより、配管から弁箱の流入口に入る流体が漏れるのを防止するように構成している。
【先行技術文献】
【特許文献】
【０００４】
【特許文献１】特許第４４６０７７４号公報
【考案の概要】
【考案が解決しようとする課題】
【０００５】
上記のようなボール型逆止弁において、ボールが弁座に着座しているときには、ボールが弁座の径方向に動くのを阻止して、ボールを安定的に着座位置に保持することが必要である。しかしながら、特許文献１のボール型逆止弁は、弁座に着座しているボールが弁座の径方向にずれようとしたとき、その動きを阻止する構造を備えていない。
【０００６】
本考案の目的は、着座位置のボールを安定的に保持しつつ、簡潔な構造で流入口を配管に水密的に連結できるボール型逆止弁を提供することである。
【課題を解決するための手段】
【０００７】
本考案のボール型逆止弁は、
流体が通過可能な通路及び該通路から分岐して設けられたボール退避部が内部に形成されたケーシングと、
前記通路の流入口側部分と前記ボール退避部の内部との間に形成された案内突条と、
前記通路の流入口側の端から前記案内突条の流入口側の端と同じ距離位置に流入口側の端が位置するように前記通路に形成された凸部と、
筒状の管部及びその一端側に形成されたフランジ部を有する管継手と、
前記案内突条の流入口側端と前記凸部の流入口側端とに当接して前記通路の流出口側の方への移動を阻止される環状部材と、
前記案内突条により案内される一方、着座位置では前記環状部材の内周側に位置するボールと、
前記通路の前記流入口側部分において前記管継手の前記フランジ部と前記環状部材との間に配設され、前記環状部材の内周側に張り出して前記ボールが着座する内周縁部と、前記環状部材の外周側に張り出す外周縁部とを有するシール部材と、
前記管継手の前記管部が貫通する貫通孔を有し、前記ケーシングの流入口側端部の外周部に螺合して、前記シール部材を介して前記環状部材を前記案内突条の流入口側の端と前記凸部の流入口側の端に押し付けるとともに、前記管継手の前記フランジ部を介して前記シール部材の前記外周縁部を前記ケーシングの前記流入口側端部の端に押し付ける螺合部材と
を備えることを特徴とする。
【０００８】
本考案によれば、案内突条は、通路の流入口側部分とボール退避部の内部との間に形成されて、シール部材の内周側縁部から離反したボールをボール退避部に案内する。これにより、流体は、ボールに妨害されることなく、通路を流入口側から流出口側へ通過する。
【０００９】
一方、環状部材は、案内突条の流入口側の端及び凸部の流入口側の端との当接により、流出口側の方へ移動することを阻止されつつ、内周側に配設されている着座位置のボールが着座位置の径方向にずれるのを阻止する。
【００１０】
本考案によれば、螺合部材は、ケーシングの流入口側端部の外周部に螺合することにより、シール部材及び環状部材を案内突条の流入口側の端及び凸部の流入口側の端に押し付けるとともに、管継手のフランジ部を介してシール部材の外周縁部をケーシングの端に押し付ける。これにより、環状部材は、適正位置に保持されるので、着座位置のボールを安定的に保持することができる。
【００１１】
同時に、螺合部材は、環状部材の位置決めの適正化と、シール部材の外周縁部のシールとを行う。これにより、本考案のボール型逆止弁は、簡潔な構造で配管に水密的に連結することができる。さらに、案内突条の流入口側の端を、環状部材の移動を阻止するために利用するので、案内突条の数の分だけ、環状部材の移動を阻止する凸部の数を減らして、構造の一層の簡潔化を図っている。
【００１２】
本考案のボール型逆止弁において、前記案内突条は、前記ボールを水平方向両側から挟んで案内するように、１対、設けられ、前記凸部は１つだけ設けられ、１つの前記凸部の前記流入口側端と１対の前記案内突条の前記流入口側端とは、前記通路の中心線の回りに１２０°の等角度間隔で配置されていることが好ましい。
【００１３】
この構成によれば、環状部材は、通路の中心線の回りに１２０°の等角度間隔で配置された凸部の流入口側端と１対の案内突条の流入口側端とに当接して、流出口側の方への移動を阻止される。これにより、環状部材は、当接に伴って、傾斜する等の不具合が防止される。
【００１４】
本考案のボール型逆止弁において、１つの前記凸部と１対の前記案内突条とは、着座位置の前記ボールに対して、前記通路の径方向に等しい長さ、離れて、形成され、１対の前記案内突条は、前記ボールの中心に対して１２０°より大きく１８０°より小さい中心角で前記ボールを両側から挟んで案内するように、前記ケーシングの内面からの突出量が設定されていることが好ましい。
【００１５】
この構成によれば、１対の案内突条は、ボールの中心に対して１２０°より大きい中心角で両側から挟んで案内する。したがって、１対の案内突条は、案内時のボールの横揺れを防止して、ボールを安定的に案内することができる。
【図面の簡単な説明】
【００１６】
【図１】ボール型逆止弁を汚水処理施設の配管に組み込んだ状態を示した図。
【図２】ボール型逆止弁の正面図。
【図３】ボール型逆止弁の左側面図。
【図４】ボール型逆止弁を組立前の分解状態で示した図である。
【図５】図３のＶ−Ｖ線の矢視断面図。
【図６】ケーシングを、キャップのみが組付けられている状態で流入口側から見た図。
【図７】エルボ管部の横断面内のボールの相対位置を示し、図７Ａ及び図７Ｂはそれぞれ図５のVIIA−VIIA線及びVIIB−VIIB線の端面図。
【考案を実施するための形態】
【００１７】
図１は、ボール型逆止弁１を汚水処理施設の配管に組み込んだ状態を示している。矢印は、汚水を圧送する管路における汚水の流れ方向を示している。
【００１８】
塩化ビニル管２、ボール型逆止弁１、片自在型ボールバルブ３及び塩化ビニル管４は、上下方向に一列に下から順番に配設され、上下に隣接するもの同士が相互に接続されて、１本の汚水圧送管路を構成する。塩化ビニル管２の下端部は、汚水槽の汚水の水面より下に位置する。片自在型ボールバルブ３は、ボールコックとしてレバーの手動操作により開位置と閉位置とを切替えられる。
【００１９】
水中ポンプ５が、下端を塩化ビニル管２の下端に鉛直方向位置に揃えて配設され、全体を汚水槽の汚水内に水没している。水中ポンプ５は、汚水槽の外に配備した手動スイッチにより作動及び停止を制御され、作動時では、下端の吸入口から吸入した汚水を塩化ビニル管２の下端に吐出する。
【００２０】
図２及び図３は、ボール型逆止弁１の正面図及び左側面図である。ボール型逆止弁１は、外部から視認できる部品として、ケーシング１１、管継手１５、ユニバーサルナット（螺合部材）１６及びキャップ１８を備えている。ボール型逆止弁１のその他の部品については、図４及び図５において後述する。
【００２１】
図２における矢印マークＭは、ボール型逆止弁１における流体の順方向を示すために、エルボ管部３１の外面に印刷されている。図２における中心線Ｃ１，Ｃ２については、後で図５を参照して説明する。
【００２２】
図１〜図３は、ボール型逆止弁１を縦置きした状態で示している。ボール型逆止弁１の縦置き状態では、ケーシング１１の流出口２２は、上向きにボール型逆止弁１の上端に位置する。管継手１５は、ケーシング１１の下端部に接続される。ユニバーサルナット１６は、ケーシング１１の下端部に螺合する。キャップ１８は、水平方向の横向きでケーシング１１の側方の端部に螺合される。
【００２３】
ボール型逆止弁１は、使用場所によっては、縦置きに代えて横置きされることもある。ボール型逆止弁１の横置き状態（図示せず）では、キャップ１８がボール型逆止弁１の最頂部に上向きで位置するとともに、管継手１５及び流出口２２が、キャップ１８より下方で水平方向の両端に位置する。
【００２４】
図４は、ボール型逆止弁１を組立前の分解状態で示した図である。図４におけるボール型逆止弁１は、図１〜図３と同様に、縦置き状態で示されている。ケーシング１１は、外観視で、緩やかに湾曲するエルボ管部３１と、エルボ管部３１の中間部から上方へ突き出る直管部３２とを有する。流入口２１は、エルボ管部３１の下端に形成されている。流出口２２は、直管部３２の上端に形成されている。開口２３は、エルボ管部３１の他端に水平方向の向きで形成されている。
【００２５】
ボール型逆止弁１は、ケーシング１１の流入口側端部を配管に水密的に連結するための連結構造を構成する部材として、カラー１３、シール部材１４、管継手１５及びユニバーサルナット１６を備えている。ユニバーサルナット１６は、流入口２１からケーシング１１内へのボール１２の装填後、ケーシング１１の流入口側端部の外周部に螺合して、ケーシング１１にカラー１３、シール部材１４及び管継手１５を組み付けるとともに、それらがケーシング１１から離脱することを阻止する。
【００２６】
Ｏリング１７は、エルボ管部３１の開口２３側の端面に形成された環状溝１９（図５）に嵌着される。キャップ１８は、Ｏリング１７の嵌着後、ケーシング１１の開口２３側の端部（以下、「開口側端部」という）の外周部に螺合して、開口２３を閉鎖する。開口２３は、ボール型逆止弁１を所定の配管内に接続後、保守や点検の際に開放される。ケーシング１１内に詰まった異物の除去や、摩耗したボール１２の交換は、開口２３を介して行われる。
【００２７】
図４におけるカラー１３等の部品の詳細な構造については、図５を参照して、後述する。
【００２８】
図５は、図３のＶ−Ｖ線の矢視断面図である。なお、図５において、ボール１２は、その移動経路において、着座位置Ｑ１が実線で示され、中間位置Ｑ２及び退避位置Ｑ３は二点鎖線で示されている。中心線Ｃ１は、流入口２１の中心と流出口２２の中心とを結ぶ直線となっており、直管部３２の中心線でもある。中心線Ｃ２は、流入口２１の中心と開口２３の中心とを結び、エルボ管部３１の中心線である。
【００２９】
着座位置Ｑ１は、ボール１２が後述のシール部材１４の弁座としての内周縁部４７に着座しているときの位置である。退避位置Ｑ３は、ボール１２がケーシング１１のボール退避部２７内にあるときの位置である。中間位置Ｑ２は、ボール１２が案内経路において着座位置Ｑ１と退避位置Ｑ３との間で案内突条３４ａ，３４ｂにより案内されているときの位置である。
【００３０】
中心線Ｃ２は、流入口２１の側において中心線Ｃ１と重なる流入口側の直線部分と、中心線Ｃ１から分岐する湾曲線部分とを含む（図５と共に図２を参照）。中心線Ｃ２の湾曲線部分は、流出口２２側が凸になっている。ケーシング１１の流入口側端部は、中心線Ｃ１，Ｃ２が重なる範囲、換言すると、中心線Ｃ２の直線部分の範囲のケーシング１１及び後述の接続通路２４の部分に相当する。
【００３１】
ケーシング１１は、薄い色（例：青）でかつ透明の塩化ビニルの射出成形により製造される。接続通路２４は、流体がケーシング１１内を通過可能な通路として、中心線を中心線Ｃ１に一致させて、直管部３２内に直線状に形成され、流入口２１と流出口２２とを接続している。湾曲通路２６は、その中心線を中心線Ｃ２を一致させて、エルボ管部３１内に形成され、流入口２１を開口２３に接続している。
【００３２】
ボール退避部２７は、湾曲通路２６が、接続通路２４から開口２３の方へ分岐して、接続通路２４と重複しない開口２３側の湾曲通路２６の端部分として形成されている。ボール１２はボール退避部２７内に没入する時、接続通路２４へ突出しないようになっている。
【００３３】
透孔２９は、接続通路２４がエルボ管部３１において突き抜ける壁部位に形成され、流入口２１と流出口２２とを連通する。湾曲通路２６の横断面（中心線Ｃ２に対して直角の断面）は、円形の輪郭であり、該円形の直径は、湾曲通路２６の全長にわたり等しくなっているとともに、ボール１２の直径より大とされている。一方、接続通路２４の横断面（中心線Ｃ１に対して直角の断面）は、透孔２９の流出口２２側の端から流出口２２までの範囲では、円形の輪郭であり、該円形の直径は、湾曲通路２６の円の直径より小とされている。
【００３４】
案内突条３４ａ，３４ｂ（図５及び図６）は、エルボ管部３１を、中心線Ｃ２に対して外周側（図５の正面視で中心線Ｃ２より上の湾曲側）の湾曲半部と内周側（図５の正面視で中心線Ｃ２より下の湾曲側）の湾曲半部とに分割したとき、外周側の湾曲半部の内面に形成される。案内突条３４ａ，３４ｂの間の水平方向の間隔は、全長にわたり等しくされている。
【００３５】
図６は、ケーシング１１を、キャップ１８のみが組付けられている状態で流入口側から見た図である。中心Ｏｃは、中心線Ｃ２上の点であり、図６では、流入口２１の開口面との中心線Ｃ２の交点の位置を示す。図６では、透孔２９は円形になるとともに、流入口２１、流出口２２及び透孔２９の円形の中心は中心Ｏｃに重なる。
【００３６】
図５及び図６において、凸部３６は、エルボ管部３１の流入口側端部の内面に、該内面から中心Ｏｃの方へ突出して形成される。該内面から中心Ｏｃの方への突出量は、案内突条３４ａ，３４ｂ及び凸部３６共に等しく設定されている。案内突条３４ａ，３４ｂ及び凸部３６は、端面３５ａ，３５ｂ，３７（案内突条３４ａ，３４ｂ及び凸部３６の流入口側端）をケーシング１１の流入口側の端に向けている。
【００３７】
端面３５ａ，３５ｂ，３７は、中心線Ｃ１の中心線方向に同一位置（ケーシング１１の流入口側端から同じ距離位置）にかつ中心線Ｃ１に対して直角な平面で形成されている。この構成は、図５では、端面３５ａ，３７（端位置）が、中心線Ｃ１，Ｃ２に対して直角な二点鎖線Ａ１上に揃えられることにより示している。端面３５ａ，３５ｂ，３７は、また、図６に示すように、中心Ｏｃの回りに１２０°の等角度間隔の配置になっている。
【００３８】
図４及び図５において、円筒状のカラー１３は、フランジ部４１と、フランジ部４１からシール部材１４側に突出する筒部４２とを有している。シール部材１４は、円環状の基板部４５と、基板部４５から隆起して内周側において筒部４２の外周側に嵌合する環状隆起部４６とを有している。基板部４５は、環状隆起部４６の内周側及び外周側に張り出す内周縁部４７及び外周縁部４８を含む。内周縁部４７は、弁体としてのボール１２が着座する弁座として機能し、カラー１３側に膨出している。外周縁部４８は、管継手１５側に膨出しており、ケーシング１１の流入口２１の周部をシールするシールパッキンとなる。
【００３９】
管継手１５は、中心線Ｃ１に沿って延びる管部５１と、管部５１のシール部材１４側（一端側）の端において径方向外側へ張り出すフランジ部５２とを有している。フランジ部５２は、図５に図示されているように、管部５１の内周側にも所定量張り出している。
【００４０】
ユニバーサルナット１６は、筒部５５と、筒部５５の端から内周側に所定量張り出す張出し部５６とを有する。筒部５５の内周部には、ケーシング１１の流入口側端部の外周部に形成された雄ねじと螺合する雌ねじが形成されている。張出し部５６の内周側は、管継手１５の管部５１が貫通する貫通孔になっている。
【００４１】
カラー１３のフランジ部４１の外径は、エルボ管部３１の流入口側端部の内径にほぼ等しい。シール部材１４の基板部４５の外径及び管継手１５の管部５１の外径は、エルボ管部３１の流入口側端部の外径にほぼ等しい。
【００４２】
シール部材１４の弁座としての内周縁部４７の内径は、ボール１２の直径よりは小さく、ボール型逆止弁１における流量を規定する。カラー１３の内径は、ボール１２の直径より僅かに大きくされる。カラー１３の軸方向長さは、ボール１２が内周縁部４７に着座しているときに、カラー１３の上端がボール１２のほぼ中心の高さになるように設定され、ボール１２の半径より小さい。
【００４３】
流入口２１からケーシング１１内へのカラー１３等の部品の組み付け作業では、最初にボール１２がケーシング１１内に装填される。流入口２１からのケーシング１１内へのボール１２の装填時では、キャップ１８はケーシング１１に螺合されて、開口２３は予め閉鎖されている。
【００４４】
次に、ユニバーサルナット１６の筒部５５の内周側に下から上の順番に管継手１５のフランジ部５２、シール部材１４及びカラー１３が積層するよう、嵌挿される。管継手１５の管部５１は、ユニバーサルナット１６の張出し部５６の内周側の貫通孔を貫通して、ユニバーサルナット１６の外に露出している。
【００４５】
次に、ユニバーサルナット１６がエルボ管部３１の流入口側部分に締め回される。これにより、ユニバーサルナット１６の筒部５５の内面の雌ねじはエルボ管部３１の流入口側端部の外周部の雄ねじに螺合する。螺合量の増大に連れて、ケーシング１１の流入口側端部の端とユニバーサルナット１６の張出し部５６との距離は縮まっていくとともに、カラー１３と案内突条３４ａ，３４ｂ及び凸部３６との距離も縮まっていく。
【００４６】
これに伴い、シール部材１４の外周縁部４８は、流入口側端部の端と管継手１５のフランジ部５２との間で挟圧され、この挟圧力は、徐々に増大する。また、カラー１３は、案内突条３４ａ，３４ｂ及び凸部３６の端面３５ａ，３５ｂ，３７に当接する適正位置に接近する。
【００４７】
ユニバーサルナット１６の締め回しは、締め回し力が十分に大きくなった時に終了する。この時、シール部材１４の外周縁部４８の挟圧力は、十分な値に達し、ケーシング１１の流入口２１のシールが達成される。また、それと同時に、カラー１３は、案内突条３４ａ，３４ｂ及び凸部３６の端面３５ａ，３５ｂ，３７に当接して、適正位置に位置決めされる。
【００４８】
適正位置へのカラー１３の位置決めは、カラー１３を介して流出口２２側への移動を阻止されるシール部材１４の位置決めの適正化にもなる。これにより、ボール１２は、適正位置に位置決めされたシール部材１４の弁座としての内周縁部４７に適切に着座することができる。
【００４９】
図７は、エルボ管部３１の横断面内のボール１２の相対位置を示している。なお、エルボ管部３１の横断面とは、エルボ管部３１を中心線Ｃ２に対して直角の平面で切った断面をいうものとする。
【００５０】
図７Ａ及び図７Ｂはそれぞれ図５のVIIA−VIIA線及びVIIB−VIIB線の端面図である。図７Ａ及び図７Ｂは、ボール１２の移動経路における着座位置Ｑ１及び中間位置Ｑ２に対応する。図５の二点鎖線Ａ１は図５のVIIA−VIIA線と重なっている。図７Ａでは、図示を簡略化するため、ユニバーサルナット１６の断面は省略し、エルボ管部３１の流入口側端部の外周より内側のみを示している。
【００５１】
図７Ａ及び図７Ｂにおいて、中心Ｏｃは、エルボ管部３１の横断面の中心を意味し、中心Ｏｂはボール１２の中心を意味している。エルボ管部３１の横断面における内周輪郭は、中心線Ｃ２上のどの位置においても中心Ｏｃで等径の円となる。
【００５２】
図７Ａでは、中心Ｏｂは中心Ｏｃと同一位置にある。案内突条３４ａ，３４ｂ及び凸部３６の端面３５ａ，３５ｂ，３７は、中心Ｏｃの回りに等角度α（＝１２０°）の配置となっている。端面３５ａ，３５ｂ，３７は、着座位置Ｑ１のボール１２に対して接続通路２４の径方向（中心線Ｃ１に対して直角方向）に等しい長さ、離れている。
【００５３】
図７Ｂでは、中心Ｏｂは中心Ｏｃに対して透孔２９側に偏倚する。その理由は、ボール１２が、流入口２１からケーシング１１内に流入した流体の圧力を受けて、エルボ管部３１の外周側の湾曲半部の方へ押圧されるからである。この結果、ボール１２は、内周縁部４７から離反して間もなくすると、案内突条３４ａ，３４ｂの間に落とし込まれた状態になる。案内突条３４ａ，３４ｂは、ボール１２を中心Ｏｂの回りに１２０°より大きく１８０°より小さい中心角β（α＜β＜１８０°）で水平方向両側から挟んで着座位置Ｑ１から退避位置Ｑ３へ案内することになる。
【００５４】
ボール型逆止弁１の作用について説明する。
【００５５】
水中ポンプ５の停止中は、管継手１５には水中ポンプ５から流体（汚水）が圧送されて来ない。これにより、ボール１２は、流入口側から圧力を受けないので、自重にかかる重力によりケーシング１１内を下降して、着座位置Ｑ１に維持される。この時、ボール１２は、中心Ｏｂを通る水平断面をほぼカラー１３の上端の高さに揃えて、カラー１３の内周側に嵌挿された状態になって、着座位置Ｑ１に維持される。
【００５６】
ボール１２は、着座位置Ｑ１において水平方向に移動しようとすると、カラー１３の内面に当接し、移動を阻止される。こうして、カラー１３は、ボール１２を着座位置Ｑ１に安定に維持する役割を果たす。
【００５７】
水中ポンプ５の作動に伴い、流体が水中ポンプ５から管継手１５に圧送されて来る。この流体は、着座位置Ｑ１のボール１２をその重力に抗して、押し上げる。この結果、ボール１２は、エルボ管部３１内を上昇する。
【００５８】
その際、ボール１２は、流入口２１からケーシング１１内に流入して来る流体を流入口側の半球部に受けて、エルボ管部３１の外周側の湾曲半部の方へ押しやられる。そして、図７Ｂで説明したように、案内突条３４ａ，３４ｂにより中心Ｏｂの回りに中心角βで水平方向の両側から挟まれつつ、案内されて退避位置Ｑ３へ進む。中心角βは、十分に大きい角度となるので、ボール１２は、案内突条３４ａ，３４ｂにより横揺れを抑制されつつ、安定して、案内される。
【００５９】
ボール１２は、最終的に退避位置Ｑ３となる。ボール１２は、退避位置Ｑ３にあるとき、ボール退避部２７に没入した状態になっている。この結果、流体は、流入口２１からケーシング１１内へ流入した後、ボール１２により流れを妨害されることなく、接続通路２４を通過し、流出口２２に達する。
【００６０】
その後、水中ポンプ５の作動が停止すると、水中ポンプ５からの圧送流体によるボール１２に対する上向きの力は弱まる。これにより、ボール１２は、案内突条３４ａ，３４ｂにより案内されつつ、カラー１３まで下降する。また、水中ポンプ５からの圧送流体の圧力が急激に低下して、圧送流体によるボール１２に対する上向きの力が一気に低下するときは、ボール１２は、案内突条３４ａ，３４ｂにより案内されることなく、案内突条３４ａ，３４ｂから外れて、カラー１３まで落下する。いずれのときも、ボール１２は、カラー１３に達した後、カラー１３の内周側に誘導され、円滑にシール部材１４の内周縁部４７に着座する。
【００６１】
ボール型逆止弁１では、端面３５ａ，３５ｂ，３７が、カラー１３側から見て中心Ｏｃの回りに等角度間隔（図７Ａのαの間隔）で設けられている。これにより、カラー１３は、端面３５ａ，３５ｂ，３７への当接に伴って、中心線Ｃ１に対して傾斜する等の不具合が防止される。
【００６２】
案内突条３４ａ，３４ｂの流入口側の端面３５ａ，３５ｂは、凸部３６の流入口側の端面３７と共に、カラー１３が当接して、カラー１３が流出口側の方へ移動するのを阻止する。また、カラー１３は、着座位置のボール１２がカラー１３の径方向に当接して、ボール１２が着座位置からカラー１３の径方向にずれるのを阻止する。
【００６３】
ボール型逆止弁１の構造の利点について説明する。ボール型逆止弁１では、ユニバーサルナット１６は、ケーシング１１にカラー１３、シール部材１４及び管継手１５を組み付ける際、ケーシング１１の流入口側端部の外周部に螺合する。これに伴い、ユニバーサルナット１６は、シール部材１４を介してカラー１３を案内突条３４ａ，３４ｂの流入口側の端３５ａ，３５ｂと凸部３６の流入口側の端面３７とに押し付けると同時に、管継手１５のフランジ部５２を介してシール部材１４の外周縁部４８をケーシング１１の端に押し付ける。
【００６４】
すなわち、ボール１２を弁座位置に適切に案内したりボール１２を着座位置に安定的に保持したりするカラー１３の位置決めを適正化すること、ボール１２の着座位置を決める弁座としてシール部材１４の位置決めを、カラー１３の適正な位置決めを介して適正化すること、及び配管への接続部となる管継手１５と流入口２１との間の水密を保証することが、ユニバーサルナット１６の締め回しだけで達成できる構造になっている。さらに、案内突条３４ａ，３４ｂの流入口側の端は、カラー１３の移動を阻止しており、凸部３６の機能を兼用するので、凸部３６の形成数を低減することができる。したがって、着座位置のボール１２を安定的に保持しつつ、簡潔な構造で流入口を配管に水密的に連結できる構造について、上記構造を有するボール型逆止弁１は、その他の構造を採用したボール型逆止弁よりも簡潔化される。
【００６５】
本考案を図示の実施形態に基づいて説明したが、本考案は、実施形態に限定されることなく、実施形態以外の形態でも実施される。
【００６６】
例えば、図６及び図７Ａでは、中心Ｏｃに対する端面３５ａ，３５ｂの中心角は１２０°になっているが、１２０°に限定することなく、１８０°未満のその他の角度にすることもできる。
【００６７】
凸部３６は、エルボ管部３１の流入口側端部のみに形成されているが、案内突条３４ａ，３４ｂと同様に、開口２３の近辺まで延長させて、エルボ管部３１の強度を高めるリブとして使用することもできる。
【００６８】
実施形態では、環状部材として円筒状のカラー１３が設けられているが、着座位置のボール１２を接続通路２４（流体が流入可能な通路）の側において弁座の径方向外側から包囲して、ボール１２の径方向のずれを阻止し得るものであれば、円形以外の環状部材や、筒部を特に有しない所定厚さだけの環状部材であってもよい。
【符号の説明】
【００６９】
１・・・ボール型逆止弁、１１・・・ケーシング、１２・・・ボール、１３・・・カラー（環状部材）、１４・・・シール部材、１５・・・管継手、１６・・・ユニバーサルナット（螺合部材）、１８・・・キャップ、２１・・・流入口、２２・・・流出口、２３・・・開口、２４・・・接続通路、２６・・・湾曲通路、２７・・・ボール退避部、３１・・・エルボ管部、３２・・・直管部、３４ａ，３４ｂ・・・案内突条、３５ａ，３５ｂ・・・端面、３６・・・凸部、３７・・・端面、４７・・・内周縁部、４８・・・外周縁部、５１・・・管部、５２・・・フランジ部。
【図１】
0003200194.tif 000003
【図２】
0003200194.tif 000004
【図３】
0003200194.tif 000005
【図４】
0003200194.tif 000006
【図５】
0003200194.tif 000007
【図６】
0003200194.tif 000008
【図７】
0003200194.tif 000009